(57)【要約】【課題】意匠性の向上を図ることができるとともに、キースイッチをカバーで覆った状態を容易に解除することができるエレベータ用キースイッチカバー装置、及びその操作方法を得る。【解決手段】カバー６の裏面にはフック２１が設けられ、ケース５にはフック２１が掛止される掛止部２２が設けられている。ケース５には、キー３の挿入部１２が挿入可能な挿入口３１が設けられている。ケース５に保持されてキースイッチ１を覆う保護位置から、キー３によるキースイッチ１の操作が可能となる開放位置へのカバー６の変位は、フック２１が掛止部２２に掛止されることにより阻止され、挿入口３１に挿入された挿入部１２でフック２１が押されてフック２１が掛止部２２から外れることにより許容される。【選択図】図１
2013163583.tif 000002
【特許請求の範囲】
【請求項１】
キーにより操作されるキースイッチを支持する支持体に取り付けられた取付部材、及び
上記取付部材に保持されて上記キースイッチを覆う保護位置と、上記保護位置から外れて上記キーによる上記キースイッチの操作が可能となる開放位置との間で変位可能なカバー
を備え、
上記カバーの裏面及び上記取付部材のいずれか一方には、フックが設けられ、
上記カバーの裏面及び上記取付部材のいずれか他方には、上記フックが掛止される掛止部が設けられ、
上記カバー及び上記取付部材の少なくともいずれかには、上記キーの挿入部が挿入可能な挿入口が設けられており、
上記保護位置から上記開放位置への上記カバーの変位は、上記フックが上記掛止部に掛止されることにより阻止され、上記挿入口に挿入された上記挿入部で上記フックが押されて上記フックが上記掛止部から外れることにより許容されることを特徴とするエレベータ用キースイッチカバー装置。
【請求項２】
上記フックは、上記挿入部が上記挿入口に挿入される方向に沿って見たときに、上記挿入口の範囲から外れて配置され、
上記挿入部の側部には、凹部及び凸部が設けられており、
上記挿入部が上記挿入口に挿入された状態で上記凹部が上記挿入口の縁部に嵌る横方向へ上記挿入部が変位されることにより、上記フックが上記凸部で押されながら上記掛止部から外れることを特徴とする請求項１に記載のエレベータ用キースイッチカバー装置。
【請求項３】
上記カバーの裏面及び上記取付部材の少なくともいずれかには、上記挿入部と異なる形状とされた不適正挿入部材が上記挿入口に挿入されたときに上記フックを上記掛止部から外す方向への上記不適正挿入部材の変位を阻止するストッパが設けられており、
上記ストッパは、上記挿入部が上記挿入口に挿入される方向に沿って見たときに、上記掛止部における上記フックが掛止される部分よりも上記挿入口に近い位置に配置されていることを特徴とする請求項２に記載のエレベータ用キースイッチカバー装置。
【請求項４】
キーにより操作されるキースイッチを支持する支持体に取り付けられた取付部材、及び上記取付部材に保持されて上記キースイッチを覆う保護位置と上記保護位置から外れて上記キーによる上記キースイッチの操作が可能となる開放位置との間で変位可能なカバーを備えているエレベータ用キースイッチカバー装置を操作するエレベータ用キースイッチカバー装置の操作方法であって、
上記取付部材及び上記カバーの少なくともいずれかに設けられた挿入口に上記キーの挿入部を挿入する挿入工程、及び
上記挿入工程後、上記カバーの裏面及び上記取付部材のいずれか一方に設けられたフックを上記挿入部で押すことにより、上記カバーの裏面及び上記取付部材のいずれか他方に設けられた掛止部から上記フックを外して、上記保護位置から上記開放位置への上記カバーの変位を可能にする解除工程
を備えていることを特徴とするエレベータ用キースイッチカバー装置の操作方法。
【請求項５】
上記解除工程では、上記挿入部の側部に設けられた凹部及び凸部のうち、上記凹部が上記挿入口の縁部に嵌る横方向へ上記挿入部を変位させることにより、上記フックを上記凸部で押しながら上記フックを上記掛止部から外すことを特徴とする請求項４に記載のエレベータ用キースイッチカバー装置の操作方法。
【発明の詳細な説明】
【技術分野】
【０００１】
この発明は、例えば乗場やかご内等に設けられたキースイッチを覆うエレベータ用キースイッチカバー装置、及びエレベータ用キースイッチカバー装置の操作方法に関するものである。
【背景技術】
【０００２】
従来のエレベータでは、例えば運転の休止や不停止階の設定等を行うためのキースイッチが乗場壁に設けられている。このような従来のエレベータでは、例えばいたずらによるキースイッチの破損等を防止するために、キースイッチが隠蔽カバーで覆われることがある。隠蔽カバーは、乗場側から乗場壁にねじで取り付けられている（例えば特許文献１参照）。
【先行技術文献】
【特許文献】
【０００３】
【特許文献１】特開平１１−２２４５５４号公報
【発明の概要】
【発明が解決しようとする課題】
【０００４】
しかし、隠蔽カバーを乗場壁に取り付けるねじが乗場側に露出しているので、隠蔽カバーの意匠性が悪化してしまう。また、キースイッチを操作するために、ねじを外して隠蔽カバーを乗場壁から取り外す必要があるので、隠蔽カバーの取り外し作業に手間がかかってしまう。
【０００５】
この発明は、上記のような課題を解決するためになされたものであり、意匠性の向上を図ることができるとともに、キースイッチをカバーで覆った状態を容易に解除することができるエレベータ用キースイッチカバー装置、及びエレベータ用キースイッチカバー装置の操作方法を得ることを目的とする。
【課題を解決するための手段】
【０００６】
この発明に係るエレベータ用キースイッチカバー装置は、キーにより操作されるキースイッチを支持する支持体に取り付けられた取付部材、及び取付部材に保持されてキースイッチを覆う保護位置と、保護位置から外れてキーによるキースイッチの操作が可能となる開放位置との間で変位可能なカバーを備え、カバーの裏面及び取付部材のいずれか一方には、フックが設けられ、カバーの裏面及び取付部材のいずれか他方には、フックが掛止される掛止部が設けられ、カバー及び取付部材の少なくともいずれかには、キーの挿入部が挿入可能な挿入口が設けられており、保護位置から開放位置へのカバーの変位は、フックが掛止部に掛止されることにより阻止され、挿入口に挿入された挿入部でフックが押されてフックが掛止部から外れることにより許容されるものである。
【０００７】
また、この発明に係るエレベータ用キースイッチカバー装置の操作方法は、キーにより操作されるキースイッチを支持する支持体に取り付けられた取付部材、及び取付部材に保持されてキースイッチを覆う保護位置と保護位置から外れてキーによるキースイッチの操作が可能となる開放位置との間で変位可能なカバーを備えているエレベータ用キースイッチカバー装置を操作するエレベータ用キースイッチカバー装置の操作方法であって、取付部材及びカバーの少なくともいずれかに設けられた挿入口にキーの挿入部を挿入する挿入工程、及び挿入工程後、カバーの裏面及び取付部材のいずれか一方に設けられたフックを挿入部で押すことにより、カバーの裏面及び取付部材のいずれか他方に設けられた掛止部からフックを外して、保護位置から開放位置へのカバーの変位を可能にする解除工程を備えている。
【発明の効果】
【０００８】
この発明に係るエレベータ用キースイッチカバー装置、及びその操作方法によれば、キースイッチをカバーで覆った状態で、フック及び掛止部をカバーで隠すことができる。これにより、エレベータ用キースイッチカバー装置の意匠性の向上を図ることができる。また、キーの挿入部を挿入口に差し込んでフックを掛止部から外すだけで、キースイッチをカバーで覆った状態を容易に解除することができる。
【図面の簡単な説明】
【０００９】
【図１】この発明の実施の形態１によるエレベータ用キースイッチカバー装置を示す正面図である。
【図２】図１のエレベータ用キースイッチカバー装置を示す側面図である。
【図３】図１のエレベータ用キースイッチカバー装置を示す下面図である。
【図４】図１のIV-IV線に沿った断面図である。
【図５】図４のカバーが開放位置にあるときのエレベータ用スイッチカバー装置を示す断面図である。
【図６】この発明の実施の形態２によるエレベータ用キースイッチカバー装置を示す正面図である。
【図７】図６のエレベータ用キースイッチカバー装置を示す側面図である。
【発明を実施するための形態】
【００１０】
実施の形態１．
図１は、この発明の実施の形態１によるエレベータ用キースイッチカバー装置を示す正面図である。また、図２は図１のエレベータ用キースイッチカバー装置を示す側面図、図３は図１のエレベータ用キースイッチカバー装置を示す下面図である。さらに、図４は、図１のIV-IV線に沿った断面図である。また、図５は、図４のカバー６が開放位置にあるときのエレベータ用スイッチカバー装置を示す断面図である。図において、エレベータのキースイッチ１は、乗場壁に設けられたフェースプレート（支持体）２に支持されている。フェースプレート２は、乗場側に面した状態で上下に立てて配置されている。フェースプレート２には、円形状の貫通孔２ａが設けられている。キースイッチ１は、貫通孔２ａを通して鍵穴１ａを乗場側に露出させた状態でフェースプレート２に取り付けられている。
【００１１】
キースイッチ１を乗場側から操作するキー３は、持ち手部１１と、持ち手部１１から突出し、キースイッチ１の鍵穴１ａに挿入される板状の挿入部１２とを有している。挿入部１２の側部には、図１に示すように、複数の凹部１２ａ及び複数の凸部１２ｂが交互に設けられている。キースイッチ１は、キー３の挿入部１２が鍵穴１ａに挿入されて操作される。
【００１２】
フェースプレート２の乗場側の面には、キースイッチ１を覆うキースイッチカバー装置４（以下、単に、「カバー装置４」という）が設けられている。カバー装置４は、フェースプレート２にねじ等で取り付けられたケース（取付部材）５と、ケース５に対して変位可能なカバー６とを有している。
【００１３】
ケース５は、特に図４及び図５に示すように、フェースプレート２に重なる背板部５ａと、背板部５ａから乗場側へ突出し、背板部５ａの外周部に沿って配置された外周板部５ｂとを有している。ケース５には、外周板部５ｂで囲まれた開口部が乗場側に向けて設けられている。この例では、乗場側から見たときのケース５の形状が略長方形状とされている。背板部５ａには、貫通孔２ａよりも大きな貫通孔１３が貫通孔２ａの位置に合わせて設けられている。これにより、キースイッチ１の鍵穴１ａは、貫通孔１３を通してケース５内に露出されている。
【００１４】
カバー６は、深さを持つ湾曲状部材である。カバー６の形状は、カバー６の外周部がケース５の外周板部５ｂに合わさる略長方形状になっている。また、カバー６は、回動軸７を介してケース５に回動可能に設けられている。回動軸７は、ケース５がフェースプレート２に取り付けられている状態で、ケース５の上部に水平に配置されている。カバー６は、回動軸７を中心に回動されることにより、ケース５に保持されてケース５の開口部を塞ぐことによりキースイッチ１を覆う保護位置（図１〜図４）と、保護位置から外れてケース５の開口部を開放することによりキー３によるキースイッチ１の操作が可能となる開放位置（図５）との間で変位される。この例では、カバー６が回動軸７を中心に上方へ回動されることによりカバー６が保護位置から開放位置へ変位される。
【００１５】
カバー６の裏面には、鉤状部２１ａを有するフック２１が設けられている。ケース５の背板部５ａには、フック２１が掛止される掛止部２２が設けられている。フック２１及び掛止部２２は、カバー６が保護位置にある状態でカバー装置４を乗場側から見たときにいずれもカバー６の範囲内に収まる位置に配置されている。
【００１６】
掛止部２２は、図４及び図５に示すように、背板部５ａからケース５の開口部に向けて突出する突出部２２ａと、背板部５ａに対して隙間を空けた状態を保ちながら突出部２２ａから背板部５ａに沿って延びる延出部２２ｂとを有している。フック２１は、鉤状部２１ａが延出部２２ｂに掛けられることにより、掛止部２２に掛止される。
【００１７】
フック２１は、弾性変形可能な材料（例えば金属や樹脂等）により構成されている。また、フック２１は、カバー６が保護位置に達することにより掛止部２２に掛止される。掛止部２２に対するフック２１の掛止は、鉤状部２１ａが延出部２２ｂから外れる方向へフック２１が弾性変形されることにより外れる。保護位置から開放位置へのカバー６の変位は、フック２１が掛止部２２に掛止されることにより阻止され、フック２１が掛止部２２から外れることにより許容される。
【００１８】
ケース５の下端部に位置する外周板部５ｂには、キー３の挿入部１２が挿入可能な略長方形状の挿入口３１が設けられている。カバー６が保護位置にあるときのフック２１は、挿入部１２が挿入口３１に挿入される方向に沿って見たときに、図３に示すように、挿入口３１の範囲から外れて配置されている。また、延出部２２ｂも、挿入部１２が挿入口３１に挿入される方向に沿って見たときに、挿入口３１の範囲から外れて配置されている。この例では、挿入部１２が挿入口３１に挿入される方向に沿って見たときに、フック２１が挿入口３１に対してフェースプレート２に沿った幅方向へずれており、延出部２２ｂが挿入口３１に対してフェースプレート２から垂直に離れる厚さ方向へずれている。
【００１９】
挿入部１２は、図１に示すように、挿入口３１に挿入されている状態で、挿入部１２の凹部１２ａが挿入口３１の縁部（図１及び図３では、挿入口３１の左側の縁部）に嵌る横方向Ｐへスライド（変位）可能になっている。従って、カバー６が保護位置にあってフック２１が掛止部２２に掛止されているときには、挿入部１２が挿入口３１に挿入された状態で、図１の横方向Ｐへ挿入部１２がスライド（変位）されることにより、フック２１が凸部１２ｂで押されながら掛止部２２が外れるようになっている。
【００２０】
次に、カバー装置４の操作方法について説明する。キースイッチ１をカバー６で覆うときには、カバー６を保護位置まで回動軸７を中心に回動させる。これにより、ケース５の開口部がカバー６で塞がれて、キースイッチ１がカバー６で覆われる。このとき、フック２１が掛止部２２に掛止される。これにより、開放位置へのカバー６の変位が阻止され、キースイッチ１をカバー６で覆った状態が保持される。
【００２１】
カバー６を開けてキースイッチ１を乗場側へ開放させるときには、フック２１を掛止部２２から外してカバー６のロック状態を解除した後、カバー６を保護位置から開放位置へ回動軸７を中心に回動させる。これにより、ケース５内のキースイッチ１の鍵穴１ａが乗場側へ開放され、乗場側からキースイッチ１の操作が可能になる。
【００２２】
フック２１を掛止部２２から外すときには、まずケース５外からキー３の挿入部１２を挿入口３１に挿入する（挿入工程）。
【００２３】
この後、凹部１２ａが挿入口３１の縁部に嵌る横方向Ｐ（図１）へ挿入部１２をスライド（変位）させる。これにより、フック２１は、凸部１２ｂで押されながら弾性変形されて、掛止部２２から外れる。このようにして、フック２１を掛止部２２から外す。フック２１が掛止部２２から外れると、カバー６のロック状態が解除され、開放位置へのカバー６の変位が可能になる（解除工程）。
【００２４】
一方、挿入部１２の形状と異なる形状（例えば長方形平板状や棒状等）とされた不適正挿入部材が、例えばいたずら等で挿入口３１に挿入された場合には、不適正挿入部材が挿入口３１の縁部に当たることにより、フック２１が不適正挿入部材で押されることが防止され、フック２１が掛止部２２から外れることが防止される。
【００２５】
このようなカバー装置４及びカバー装置４の操作方法では、フック２１がカバー６の裏面に設けられ、フック２１が掛止される掛止部２２がケース５に設けられているので、キースイッチ１をカバー６で覆った状態では、フック２１及び掛止部２２をカバー６で隠すことができ、フック２１及び掛止部２２が乗場側に露出することを防止することができる。これにより、カバー装置４の意匠性の向上を図ることができる。また、挿入口３１に挿入されたキー３の挿入部１２でフック２１が押されてフック２１が掛止部２２から外れるようになっているので、ドライバ等の道具を用いることなく、キー３の挿入部１２を挿入口３１に差し込んでフック２１を掛止部２２から外すだけで、キースイッチ１をカバー６で覆った状態を容易に解除することができる。
【００２６】
また、挿入部１２が挿入口３１に挿入される方向に沿って見たときに、フック２１が挿入口３１の範囲から外れて配置され、挿入部１２が挿入口３１に挿入された状態で、凹部１２ａが挿入口３１の縁部に嵌る横方向Ｐ（図１）へ挿入部１２がスライドされることにより、フック２１が挿入部１２の凸部１２ｂで押されながら掛止部２２から外れるようになっているので、挿入口３１に平板状や棒状の不適正挿入部材を挿入するだけではフック２１が掛止部２２から外れないようにすることができ、カバー装置４の操作方法の知識を持たない利用者が例えばいたずら等でカバー６を開ける可能性を低くすることができる。これにより、例えばいたずらによるキースイッチ１の破損等の防止をより確実に図ることができる。
【００２７】
また、挿入口３１がケース５の下端部に位置する外周板部５ｂに設けられているので、挿入口３１を乗場側から目立ちにくくすることができ、カバー装置４の意匠性をさらに向上させることができる。
【００２８】
なお、上記の例では、挿入口３１への挿入部１２の挿入方向に沿って見たとき、カバー６が保護位置にあるときのフック２１が挿入口３１の範囲から外れて配置されているが、フック２１が挿入口３１の範囲内の位置に配置されていてもよい。このようにすれば、いたずら防止の効果は低くなるが、凹部１２ａ及び凸部１２ｂが側部に設けられていない挿入部を持つキーであっても、キーの挿入部を挿入口３１に挿入して挿入部でフック２１を押すことによりフック２１を掛止部２２から容易に外すことができる。
【００２９】
実施の形態２．
図６は、この発明の実施の形態２によるエレベータ用キースイッチカバー装置を示す正面図である。また、図７は、図６のエレベータ用キースイッチカバー装置を示す側面図である。ケース５には、背板部５ａから垂直に突出する円柱状のストッパ４１が設けられている。ストッパ４１は、挿入部１２が挿入口３１に挿入される方向に沿って見たときに、掛止部２２におけるフック２１が掛止される部分よりも挿入口３１に近い位置に配置されている。
【００３０】
キー３の挿入部１２と異なる形状（例えば長方形平板状や棒状等）とされた不適正挿入部材が挿入口３１に挿入されたときには、ストッパ４１は、不適正挿入部材に当たることにより、フック２１を掛止部２２から外す方向への不適正挿入部材のスライド（変位）を阻止する。一方、キー３の挿入部１２が挿入口３１に挿入されたときには、挿入部１２の凹部１２ａがストッパ４１と挿入部１２との間に存在しているので、ストッパ４１は、凹部１２ａがストッパ４１に嵌る横方向への挿入部１２の変位、即ちフック２１を掛止部２２から外す方向への挿入部１２の変位を許容する。他の構成及びカバー装置４の操作方法は、実施の形態１と同様である。
【００３１】
このようなカバー装置４では、ストッパ４１がケース５に設けられ、挿入部１２が挿入口３１に挿入される方向に沿って見たときに、掛止部２２におけるフック２１が掛止される部分よりも挿入口３１に近い位置に配置されているので、キー３の挿入部１２と異なる形状とされた不適正挿入部材が挿入口３１に挿入されたときに、フック２１を掛止部２２から外す方向への不適正挿入部材の変位をストッパ４１により阻止することができる。これにより、不適正挿入部材の挿入口３１への挿入によってカバー６が開く可能性をさらに低くすることができ、例えばいたずらによるキースイッチ１の破損等の防止をさらに確実に図ることができる。
【００３２】
なお、上記の例では、ストッパ４１の形状が円柱状とされているが、これに限定されず、ストッパ４１の形状を例えば板状や多角柱状等としてもよい。
【００３３】
また、上記の例では、ストッパ４１がケース５に設けられているが、カバー６にストッパ４１を設けてもよいし、ケース５及びカバー６のそれぞれにストッパ４１を設けてもよい。
【００３４】
また、各上記実施の形態では、フック２１がカバー６の裏面に設けられ、掛止部２２がケース５に設けられているが、カバー６の裏面に掛止部２２を設け、ケース５にフック２１を設けてもよい。
【００３５】
また、各上記実施の形態では、ケース５の下端部に位置する外周板部５ｂに挿入口３１が設けられているが、挿入口３１の位置はこれに限定されず、回動軸７を避けた外周板部５ｂの位置であればよい。従って、例えば、ケース５の側部に位置する外周板部５ｂに挿入口３１を設けてもよい。この場合、フック２１及び掛止部２２のそれぞれの位置が挿入口３１の位置に応じて設定される。また、実施の形態２ではストッパ４１の位置も挿入口３１の位置に応じて設定される。
【００３６】
また、各上記実施の形態では、回動軸７がケース５の上部に水平に設けられて、カバー６の上方への回動によりカバー６が保護位置から開放位置へ変位されるようになっているが、回動軸７をケース５の下部に水平に設けて、カバー６の下方への回動によりカバー６を保護位置から開放位置へ変位させるようにしてもよい。さらに、回動軸７をケース５の側部に鉛直に設けて、カバー６の側方への回動によりカバー６を保護位置から開放位置へ変位させるようにしてもよい。この場合、挿入口３１の位置が回動軸７を避けた位置とされ、フック２１及び掛止部２２の位置が挿入口３１の位置に応じた位置とされる。また、実施の形態２ではストッパ４１の位置も挿入口３１の位置に応じて設定される。
【００３７】
また、各上記実施の形態では、ケース５に対するカバー６の回動により、カバー６が保護位置と開放位置との間で変位されるようになっているが、ケース５に対するカバー６の着脱により、保護位置と開放位置との間でカバー６を変位させるようにしてもよい。
【００３８】
また、各上記実施の形態では、挿入口３１がケース５のみに設けられているが、カバー６のみに挿入口３１を設けてもよいし、ケース５及びカバー６のそれぞれに挿入口３１を設けてもよい。
【００３９】
また、各上記実施の形態では、フェースプレート２に取り付けられる取付部材がケース５とされているが、ケース５に限定されず、枠状の部材であってもよい。
【００４０】
また、各上記実施の形態では、乗場のキースイッチ１を支持するフェースプレート２にカバー装置４が取り付けられているが、キースイッチがかご内に設けられている場合には、かご内のキースイッチ１を支持するフェースプレート（支持体）にカバー装置４を取り付けてもよい。
【符号の説明】
【００４１】
１  キースイッチ、２  フェースプレート（支持体）、３  キー、４  カバー装置（キースイッチカバー装置）、５  ケース（取付部材）、６  カバー、１２  挿入部、１２ａ  凹部、１２ｂ  凸部、２１  フック、２２  掛止部、３１  挿入口、４１  ストッパ。
【図１】
2013163583.tif 000003
【図２】
2013163583.tif 000004
【図３】
2013163583.tif 000005
【図４】
2013163583.tif 000006
【図５】
2013163583.tif 000007
【図６】
2013163583.tif 000008
【図７】
2013163583.tif 000009